(57)【要約】【課題】側板間で機体上下方向に並ぶ複数枚の湾曲形状の商品案内板と、側板とによって形成された商品通路を備えている自動販売機において、商品案内板に操作簡単に固定できるようにする。【解決手段】各商品案内板３０の上端側を側板２０に連結してある。互いに隣接し合う一対の商品案内板３０における上段側の商品案内板３０の下端側と、下段側の商品案内板３０の上端側との間に係合手段３３を設けてある。係合手段３３は、上段側の商品案内板３０が備えている係止部と、下段側の商品案内板３０が備えている支持部との係合によって上段側の商品案内板３０と下段側の商品案内板３０とを連結させている。【選択図】　　　　図３
2004054889.tif 000002
【特許請求の範囲】
【請求項１】
側板間で機体上下方向に並ぶ複数枚の湾曲形状の商品案内板と、前記側板とによって形成された商品通路を備えてある自動販売機の商品案内板取付け構造であって、
前記複数枚の商品案内板それぞれの上端側を前記側板に連結し、前記複数枚の商品案内板において互いに上下に隣接し合う一対の商品案内板における上段側の商品案内板の下端側と、下段側の商品案内板の上端側との間に、一方の商品案内板が備える係止部と、他方の商品案内板が備える支持部との係合によって両商品案内板を連結させる係合手段を設けてある自動販売機の商品案内板取付け構造。
【請求項２】
前記係止部が、商品案内板から延出している舌片であり、この舌片が係合のために入り込む貫通孔を前記支持部に備えてある請求項１記載の自動販売機の商品案内板取付け構造。
【請求項３】
前記係合手段を前記商品案内板の両横端部に設けるとともに、両係合手段どうしの間で、上段側の商品案内板の下部と、下段側の商品案内板の上部とが当接し合うように構成してある請求項１又は２記載の自動販売機の商品案内板取付け構造。
【請求項４】
前記商品案内板の上端側に、商品案内板から横外向きに突出する連結片を備えてあるとともに、この連結片を前記側板の支持部に係合させることによって商品案内板の上端側を側板に連結してある請求項１〜３のいずれか１項に記載の自動販売機の商品案内板取付け構造。
【請求項５】
前記複数枚の商品案内板における最上段の商品案内板の上端部を覆う案内板カバーを備えてある請求項１〜４のいずれか１項に記載の自動販売機の商品案内板取付け構造。
【請求項６】
商品案内板の上端部両横端には、側板に形成された貫通孔に対応する連結片が突出形成されているとともに、前記係合手段が、上段側の商品案内板の下端部両横端に形成されたＬ字状の下部係止片と、これに対応する下段側の商品案内板の上端部両横端に、前記下部係止片の先端部のみが商品案内板の表面側から裏面側に切欠部を通して係止自在に形成された係止受け部から構成されている請求項１〜５のいずれか１項に記載の自動販売機の商品案内板取付け構造。
【発明の詳細な説明】
【０００１】
【発明の属する技術分野】
本発明は、側板間で機体上下方向に並ぶ複数枚の湾曲形状の商品案内板と、前記側板とによって形成された商品通路を備えてある自動販売機の商品案内板取付け構造に関する。
【０００２】
【従来の技術】
上記自動販売機において、従来、図１７に示すように、各商品案内板３０の上端側及び下端側に、商品案内板３０の端部をカール形成して成る取付け筒部３０ｂを設け、この取付け筒部３０ｂを挿通するように、かつ、両端部が図１８の如き折り曲げ舌片５６ａで側板２０に連結するように構成した連結軸５６によって上下それぞれの取付け筒部３０ｂを側板２０に連結する取付け構造を採用することにより、各商品案内板３０を側板２０に固定されていた。
【０００３】
【発明が解決しようとする課題】
上記した従来の取付け構造にあっては、商品案内板に取付け筒部を設けるカール形成が商品案内板の上端側にも下端側にも必要であり、商品案内板の製作工数が大になっていた。また、商品案内板の組付け作業を行うに当たり、商品案内板の上端側も下端側も側板に連結する必要があることにより、かつ、この連結には比較的手間が掛かることから、作業能率が悪くなっていた。
【０００４】
また、商品案内板を輸送する際、積み重ねても、各商品案内板の上端側と下端側とに存在する連結筒部のために、各商品案内板の連結筒部どうしの間で、下段側の商品案内板と上段側の商品案内板との隙間ができ、この分、積み重ね効率が悪くなっていた。すなわち、積み重ねた状態での嵩が、積み重ね枚数の割には大になっていた。
【０００５】
本発明の目的は、商品案内板の製作面からも組付け面からも自動販売機を有利に得ることができるとか、さらには、商品案内板の輸送面からも自動販売機を有利に得ることが可能となる自動販売の商品案内板取付け構造を提供することにある。
【０００６】
【課題を解決するための手段】
請求項１による発明の構成、作用、効果はつぎのとおりである。
【０００７】
〔構成〕
側板間で機体上下方向に並ぶ複数枚の湾曲形状の商品案内板と、前記側板とによって形成された商品通路を備えてある自動販売機の商品案内板取付け構造において、
前記複数枚の商品案内板それぞれの上端側を前記側板に連結し、前記複数枚の商品案内板において互いに上下に隣接し合う一対の商品案内板における上段側の商品案内板の下端側と、下段側の商品案内板の上端側との間に、一方の商品案内板が備える係止部と、他方の商品案内板が備える支持部との係合によって両商品案内板を連結させる係合手段を設けてある。
【０００８】
〔作用〕
各商品案内板の上端側が、側板に対して連結して固定され、前記一対の商品案内板における上段側に当たる商品案内板の下端側が、下段側に当たる商品案内板の上端側に対して前記係合手段によって連結して、この下段側の商品案内板を介して側板に固定されるものである。係合手段は、係止部と支持部との係合によって商品案内板どうしを連結させるものである。これにより、上段側に当たる商品案内板の上端側と下端側のうちの上端側だけに側板に連結するための取付け部を設け、上段側と下段側の一方に当たる商品案内板に係止部を、他方に当たる商品案内板に支持部をそれぞれ設け、側板に対しては上端側だけを連結し、係止部と支持部とを係合させて上段側と下段側の商品案内板どうしを連結することにより、商品案内板を移動する商品に対する案内が所定どおり行なわれるように固定できる。
【０００９】
〔効果〕
従って、商品案内板を側板に対する取付け部が上端側だけに備えるものに済ませて容易に作製し、かつ、商品案内板の上端側だけを側板に連結するとともに係止部と支持部とを係合させるだけで操作簡単に商品案内板を側板に組付け、従来に比して少ない工数や部品で商品案内板を得たり組付けて自動販売機を安価に得られる。
【００１０】
請求項２による発明の構成、作用、効果はつぎのとおりである。
【００１１】
〔構成〕
請求項１による発明の構成において、前記係止部が、商品案内板から延出している舌片であり、この舌片が係合のために入り込む貫通孔を前記支持部に備えてある。
【００１２】
〔作用〕
舌片が貫通孔に入り込むことにより、舌片と支持部とが係合し合って上段側と下段側の商品案内板どうしが連結するものであるから、舌片を貫通孔に入り込ませるだけで操作簡単に商品案内板どうしを連結できる。
【００１３】
また、商品案内板どうしを積み重ねた際、上段側と下段側の一方の商品案内板が備える舌片と、他方の商品案内板が備える舌片とが重なることになるものである。これにより、商品案内板の上端側に側板に連結するように備えてある取付け部が比較的嵩高の形式のものになっていても、上段側と下段側の商品案内板どうしが舌片のために極力近接し合って、隙間ができないとか、できても極力狭くなるようにして積み重ねられる。すなわち、取付け部の嵩の割には、積み重ね効率がよい状態にして積み重ねられる。
【００１４】
〔効果〕
従って、上段側と下段側の商品案内板どうしを連結する作業の面からより一層必要手間を低減しながら商品案内板を組付けて自動販売機をより安価に得られる。
【００１５】
しかも、商品案内板を輸送する際、積み重ね効率がよい状態で積み嵩ね、積み重ね枚数の割には嵩の低い状態にしてコストダウンを図りながら輸送できる。
【００１６】
請求項３による発明の構成、作用、効果はつぎのとおりである。
【００１７】
〔構成〕
請求項１又は２による発明の構成において、前記係合手段を前記商品案内板の両横端部に設けるとともに、両係合手段どうしの間で、上段側の商品案内板の下部と、下段側の商品案内板の上部とが当接し合うように構成してある。
【００１８】
〔作用〕
商品案内板にあっては、通過する商品が衝突して荷重が掛かるが、上段側と下段側の商品案内板は、商品案内板の両横端部において、係合手段による係合によって連結し合っていることと、両係合手段どうしの間において、上段側の商品案内板の下部と、下段側の商品案内板の上部とが当接し合っていることとにより、商品による前記荷重が掛かっても、容易に変形したり歪まないように荷重に対応する強度を発揮しながら商品に対する案内を行うものである。
【００１９】
〔効果〕
従って、商品案内板による商品の案内が確実に行なわれて、商品が詰まりにくいように精度よく払い出される。その割には、上段側と下段側の商品案内板どうしを連結するのに、両横端部の係合手段による係止部と支持部を係合させるだけの簡単な連結操作で済み、商品案内板を容易に組み付けて安価に得られる。
【００２０】
請求項４による発明の構成、作用、効果はつぎのとおりである。
【００２１】
〔構成〕
請求項１〜３のいずれか１項による発明の構成において、前記商品案内板の上端側に、商品案内板から横外向きに突出する連結片を備えてあるとともに、この連結片を前記側板の支持部に係合させることによって商品案内板の上端側を側板に連結してある。
【００２２】
〔作用〕
商品案内板の前記連結片と、側板の支持部との係合によって商品案内板の上端側が側板に連結されるものであるから、連結片を側板に係合させるだけの簡単な連結操作で商品案内板を側板に連結できる。また、商品案内板の上端側に側板に連結するように備えさせる取付け部としての連結片が嵩の低いものになり、商品案内板を積み重ねた際、下段側の商品案内板と上段側の商品案内板とがこれらの間に隙間ができない状態で積み重なるようにできる。
【００２３】
〔効果〕
従って、連結片を側板の支持部に係合させるだけで操作簡単に商品案内板の上端側を側板に連結し、この面からも少ない手間で商品案内板を組付けて自動販売機を安価に得られる。
【００２４】
しかも、商品案内板を輸送する際、極めて積み重ね効率がよい状態で積み嵩ね、積み重ね枚数の割には一層嵩の低い状態にして安価に輸送できる。
【００２５】
請求項５による発明の構成、作用、効果はつぎのとおりである。
【００２６】
〔構成〕
請求項１〜４のいずれか１項による発明の構成において、前記複数枚の商品案内板における最上段の商品案内板の上端部を覆う案内板カバーを備えてある。
【００２７】
〔作用〕
商品案内板の上端側を側板に連結する手段として、商品案内板が積み重ねられた際、全体にわたって効率よく重なることになる連結手段を採用した場合など、採用した連結手段によっては、最上段商品案内板の板端が商品通路の入口に位置することがあるが、前記案内板カバーを備えているものだから、最上段商品案内板の板端を案内板カバーによって覆って商品通路の入口に露出しないようにしながら、商品案内板が効率よく積み重なるなど有利な連結手段を採用して商品案内板の上端側を側板に連結できる。
【００２８】
〔効果〕
従って、商品案内板を積み重ねた際に効率よく積み重なるなど有利な連結手段を採用して商品案内板の上端側を側板に連結できる。その割には、最上段商品案内板の板端が商品通路に露出しなくて、商品を損傷しにくいとか詰まらないようにしながら商品通路に投入できる。
請求項６による発明の構成、作用、効果はつぎのとおりである。
【００２９】
〔構成〕
請求項１〜５のいずれか１項による発明の構成において、商品案内板の上端部両横端には、側板に形成された貫通孔に対応する連結片が突出形成されているとともに、前記係合手段が、上段側の商品案内板の下端部両横端に形成されたＬ字状の下部係止片と、これに対応する下段側の商品案内板の上端部両横端に、前記下部係止片の先端部のみが商品案内板の表面側から裏面側に切欠部を通して係止自在に形成された係止受け部から構成されている。
【００３０】
〔作用〕
上段側の商品案内板の下部係止部と、これに対応する下段側の商品案内板の係止受け部を係合状態にすることによって、両商品案内板を上下に隣合う状態に仮の連結をすることができ、この仮の連結を上下方向に並べる複数枚に亘って実施することによって、複数の商品案内板を一連に繋がれた状態にすることができ、この状態で、各商品案内板の上端部両横端の各連結片を、夫々に対応する側板の貫通孔部に連結状態にすることによって、複数の商品案内板を側板間に一括して取付けることも可能であり、側板間に取付けられた状態で、繋がれた商品案内板どうしが外れることかない拘束状態となるとともに、側板間に姿勢変化しない固定した状態で支持されることになる。
【００３１】
〔効果〕
従って、複数枚の商品案内板の一枚毎実施されていた側板との連結操作が、複数枚の商品案内板を一纏めにして側板に連結することができるので、組立て作業性がよく、作業性や製作性の向上を図ることができる。
また、側板間に取付けられた状態では、上下に隣接する商品案内板同士が不測に外れることがない構造になっているので、信頼性の高い商品案内板取付け構造を形成することができる。
さらに、予めに、複数枚の商品案内板一連の連結状態にした仕掛品にしておくことによって、運搬性や在庫性の向上を図ることができる。
【００３２】
【発明の実施の形態】
〔第１実施形態〕
以下に本発明の実施の形態を例示図に基づいて説明する。
図１に示すように、開口１や、この開口１を開閉する揺動自在な前面扉２及び断熱扉３が前面側に付いている販売機体４の断熱材５で囲われている内部の上側に、販売機体４の上下方向に沿う方向の商品収納兼用の商品通路６の複数本が販売機体４の前後及び横方向に並んでいる商品収納部７を設け、前記複数本の商品通路６それぞれの下端側の出口付近に、上段側の商品ストッパー８ａによって最下段から２番目の商品Ａを受け止めながら、下段側の商品ストッパー８ａを開いて最下段の商品Ａを払い出す商品払い出し装置８を設け、商品収納部７の下方に位置するシュート１２、及び、このシュート１２の下方に位置する室内機９ａ及び室外機９ｂを備えて成る温度調節装置９を販売機体４の下部に設け、送風機９ｃの駆動によって庫内の空気を商品収納部７とダクト１３経由で循環可能な自動販売機を構成してある。
【００３３】
この自動販売機は、缶入りとか瓶入り飲料などの商品Ａを販売するものであり、商品収納部７における商品通路６の上端側の入口６ａに、あるいは、商品通路６の上端側の入口に一端側が臨んでいる投入板１０ａによって形成されている商品投入路１０に商品Ａを投入することにより、各商品通路６の下端側が前記商品ストッパー８ａによって閉じられていて、各商品通路６において、商品Ａが販売機体上下方向に一列に積み重ねて収納されるとともに温度調節装置９の室内機９ａからの温調空気によって加熱されたり冷却されて設定温度に保たれ、前面扉２の表面側に設けてある購入スイッチ（図示せず）を操作して販売指令が付与されると、商品払い出し装置８が販売指令に対応する商品Ａを収納している商品通路６の前記商品ストッパー８ａを開閉操作し、商品Ａを１個ずつ商品通路６から前記シュート１２の上に落下させ、このシュート１２に沿って滑落案内される商品Ａを前面扉２の下部に設けてある商品取り出し部１１に払い出す。
【００３４】
前記投入板１０Ａは、図１２，図１３に示すように、前後方向に分割状態で一体連結されている側板２０，２０間毎に対応して取付けられた分割投入板１０ａから形成され、各分割投入板１０ａは、前端のカール曲げされた両横端部１０ｂ，１０ｂを対応する側板２０に形成されたＶ字状に穿孔された孔底である取付け孔２１ｂ，２１ｂに係止し、前後途中の側方飛び出し形成された係止片１０ｃを、対応する側板２０に形成された側板前後方向に沿う長方形状の受け孔２１ｃ，２１ｃに係止して取付けられている。
【００３５】
詳しくは、側板２０に対して分割投入板１０ａは、商品受入側である取付け孔２１ｂのＶ字状前傾斜孔に、分割投入板１０ａにおける前端の横端部１０ｂを、商品受入側である長方形状の受け孔２１ｃの先端孔部分に、分割投入板１０ａにおける係止片１０ｃを、夫々差入れた後、当該分割投入板１０ａを商品投入奥側に移動させることによって、取付け孔２１ｂに横端部１０ｂ、及び、受け孔２１ｃに係止片１０ｃが係止状態なるようになっている。また、分割投入板１０ａの後部両端部は、内向きテーパー状に面取り形成されている。
【００３６】
ここで、この実施形態において、分割投入板１０ａの前端の両横端部１０ｂ，１０ｂには、前方に向けての溝１０ｅが形成されていて、取付け孔２１ｂに係入しやすくなっている。
【００３７】
また、各分割投入板１０ａの前端及び係止片１０ｃを除く両側端部分には、側板２０面に面接する折り曲げ片１０ｄ，１０ｄが下方に折り曲げ形成されている。そのため、折り曲げ片が上方に折り曲げ形成されて、商品投入の際に引っかかったりして、商品投入の妨げになる構造のものに比べて、商品投入路１０の折り曲げ片がない分、商品投入路１０幅が広くなるとともに、商品投入の際の障害物がない分、商品投入を円滑に実施することができる。
【００３８】
図２、図３に示すように、前記複数本の商品通路６のそれぞれは、販売機体４の横方向に所定間隔を隔てて並んだ状態で販売機体内に着脱自在に支持されている左右一対の側板２０と、この一対の側板２０どうしの間の販売機体前側に販売機機体上下方向に並んでいる複数枚の商品案内板３０，３８と、前記一対の側板２０どうしの間の販売機体後側に販売機体上下方向に並んでいる複数枚の商品案内板４０，４５とによって構成してある。
【００３９】
前記複数本の商品通路６のうち、販売機体４の前後方向に一列に並んでいる５本の商品通路６を一つの商品通路群と呼称すると、販売機体４の横方向に並んでいる複数個の商品通路群それぞれにおいて、この商品通路群における５本の商品通路６のうち、最も販売機体前面側に位置する商品通路６と、この最前面側商品通路６に隣接している商品通路６との２本の商品通路６を形成している前記左側板２０と前記右側板２０のそれぞれは、一枚の板体で作製し、残りの販売機体後側の３本の商品通路６を形成している前記左側板２０と前記右側板２０のそれぞれは、一枚の板体で作製してある。すなわち、前記各商品通路群における販売機体前側の２本の商品通路６が一挙に販売機体４に対して着脱するように一つのユニットになり、販売機体後側の３本の商品通路６が一挙に販売機体４に対して着脱するように一つのユニットになっている。
【００４０】
図２などに示すように、前記各商品通路６における前記前側の商品案内板３０，３８のうち、上段側の複数枚の商品案内板３０のそれぞれは、販売機体横方向に沿う方向視で商品通路内方側に位置する方の側面が凹面になる湾曲形状に形成した板体で成り、左右側板２０によって姿勢変化しないように固定した状態で支持されている。前記各商品通路６における前記前側の商品案内板３０，３８のうち、最下段の商品案内板３８は、左右の側板２０にわたって固定されているほぼ偏平な板体で成っている。
【００４１】
図２、図４などに示すように、前記各商品通路６における前記後側の商品案内板４０，４５のうち、上段側の複数枚の商品案内板４０のそれぞれは、販売機体横方向に沿う方向視で商品通路内方側に位置する方の側面が凹面になる湾曲形状に形成した板体で成り、この商品案内板４０の上端側に位置する販売機体横方向に沿う方向の軸芯４１まわりで上下に揺動するように、販売機体横向きの支持板４２を介して左右側板２０によって支持されているとともに商品案内板４０の上端側に作用しているスプリング（図示せず）によって上昇側に揺動付勢されている。前記各商品通路６における前記後側の商品案内板４０，４５のうち、最下段の商品案内板４５は、左右の側板２０にわたって固定されているほぼ偏平な板体で成っている。
【００４２】
これにより、各商品通路６は、商品Ａを商品入口から商品出口に自然落下によって通過させるが、この通過の際、後側の各揺動式の商品案内板４０がこれの前記湾曲形状と上昇付勢力とのために商品Ａを受け止め、商品重量のために下降揺動しながら商品Ａを前側の商品案内板３０の方に落下するように案内していくことと、前側の各固定式の商品案内板３０がこれの前記湾曲形状のために揺動式の商品案内板４０からの商品Ａを受け止めて後側の揺動式の商品案内板４０の方に向かって落下して下段側の揺動式の商品案内板４０に載って受け止められるように案内していくことにより、缶や瓶の損傷とか飲料の泡立ちなどが生じにくいように商品Ａを静かに落下させていく。
【００４３】
前記各商品通路６おける前記前側の複数枚の湾曲形状の商品案内板３０は、図３、図４、図５などに示す取付け構造に基づいて取付けてある。
【００４４】
すなわち、各商品案内板３０において、図５、図８などに示すように、商品案内板３０の上端部の両横側に、商品案内板３０から横外向きに突出するように形成するとともに商品案内板３０との一体部品に形成した連結片３１を設け、左側の連結片３１を左側板２０の貫通孔２１ａが付いている支持部２１に対して、右側の連結片３１を右側板２０の貫通孔２１ａが付いている支持部２１に対してそれぞれ、連結片３１の先端側が貫通孔２１ａに入り込んで抜け止め部３１ａが側板２０の裏面側に引っ掛かった係合状態にすることにより、商品案内板３０の上端側を左右側板２０に連結してある。
【００４５】
最も販売機体前面側に位置する商品通路６における前記複数枚の湾曲形状の商品案内板３０のうちの最上段の商品案内板３０においては、図３、図９に示すように、この商品案内板３０の上端部に装着した図１０、図１１の如き案内板カバー５０の両端部に備えてある回り止め舌片５１を、側板２０の貫通孔２２に入り込ませて側板２０に係止させることにより、商品案内板３０が前記連結片３１によって側板２０に連結している部位を回動支点にして揺動することを防止するように回り止めを図ってある。
【００４６】
図９、図１０、図１１に示すように、前記案内板カバー５０は、前記回り止め舌片５１が付いている側とは反対側の端部側に位置する湾曲部５０ａと、この湾曲部５０ａの両横端部に位置する連結舌片５２とを備えた湾曲板で成り、左右の連結舌片５２が最上段商品案内板３０の前記左右の支持部３５における貫通孔３５ａに各別に入り込むことによって最上端商品案内板３０の上端部に連結し、前記湾曲部５０ａによって最上段商品案内板３０の上端部を覆ってこの商品案内板３０の板端を商品通路６に露出しないようにしている。
【００４７】
図３、図５に示すように、前記複数枚の商品案内板３０において互いに上下に隣接し合う一対の商品案内板３０における上段側の商品案内板３０の下端側と、下段側の商品案内板３０の上端側とを、上下段の商品案内板３０どうしの間に商品案内板３０の両横端部に分散して位置するようにして設けてある左右一対の係合手段３３によって連結してある。
【００４８】
すなわち、前記左右の係合手段３３のそれぞれは、図８の如く上段側の商品案内板３０の下端側の横端部に、商品案内板３０から下向きに突出するように形成するとともに商品案内板３０との一体部品になるように形成した舌片で成る係止部３４と、下段側の商品案内板３０の上端側の横端部に商品案内板３０の横外向きに開口する切欠き形式にして設けてある貫通孔３５ａを備えている支持部３５とによって構成してあり、図５、図６に示すように、前記係止部３４の先端側を下段側商品案内板３０の商品通路６に臨んでいる表面側から前記貫通孔３５ａに入り込ませることにより、係止部３４と支持部３５とが係合し、これにより、上段側商品案内板３０の下端側を下段側商品案内板３０の上端側に対して販売機体４の前後方向に動かなくなるように連結する。
【００４９】
つまり、上段側の商品案内板３０の下端側が、この商品案内板３０に隣接する下段側の商品案内板３０の上端側に対して前記左右一対の係合手段３３によって連結し、この下段側の商品案内板３０を介して左右側板２０に連結するようにしてある。
【００５０】
図３に示すように、前記複数枚の商品案内板３０のうちの最下段の商品案内板３０の下端側は、この商品案内板３０の下端側の両横端部に案内板端部をカール形成して設けた取付け筒部３６と、この取付け筒部３６を前記偏平商品案内板３８の内面側に連結する連結軸（図示せず）とによって偏平商品案内板３８に連結してある。
【００５１】
図６、図８などに示すように、前記上段側の商品案内板３０の下端側の両横端部に、前記係止部３４の裏面側と、商品案内板３０の下端部の裏面側とにわたって膨出して係止部３４の曲げ強度を高める補強リブとしての突条３４ａを設けてある。
【００５２】
図６、図８などに示すように、前記下段側の商品案内板３０の上端側に、下段側商品案内板３０の本体に対して上段側商品案内板３０の裏面側に向かって折れ曲がって上段側商品案内体３０の裏面側に位置する補強曲げ部３７を設けてあるとともに、上段側商品案内板３０の前記左右一対の突条３４ａが前記補強曲げ部３７の端部に備えてある左右一対の凹部３７ａに各別に入り込み、図７の如く上段側の商品案内板３０の下部３０ａの裏面側と、下段側の商品案内板３０の上部としての補強曲げ部３７とが前記左右の係合手段３３どうしの間で当接し合うように構成してある。
これにより、上段側商品案内板３０の表面側に商品Ａが当たって荷重が掛かっても、下段側商品案内板３０が補強曲げ部３７によって優れた強度を発揮しながら、上段側商品案内板３０に対してこれの全幅にわたって当接して支持作用し、上段側商品案内板３０が変形したり歪みにくいように強固に支持される。
【００５３】
図３に示すように、前記複数本の商品通路６のそれぞれに、収納幅調整板５３を設けてある。この収納幅調整板５３は、上下一対の揺動リンク５４を介して一方の側板２０によって支持されており、揺動リンク５４の側板２０及び収納幅調整板５３に対する揺動のために、商品通路６の内部を前記側板２０に対して接近したり離れる方向に平行移動し、商品通路６の商品収納に使用される部分の横幅を商品Ａの大きさに適応したものに調節するものである。
【００５４】
〔第２実施形態〕
この第２実施形態は、上記第１実施形態と異なる点を図面に基づいて説明し、同様構成部分には同符号を付してその説明は省略する。
【００５５】
この実施形態の自動販売機の商品案内板取付け構造においては、図１４〜図１６に示すように、商品案内板３０の上端部両横端には、側板２０に形成された貫通孔２１ａに対応する連結片３１が突出形成されているとともに、係合手段３３が、上段側の商品案内板３０の下端部両横端に形成された、対称で互いが向き合うＬ字状の下部係止片３９，３９と、これに対応する下段側の商品案内板３０の上端部両横端に、前記下部係止片３９の先端部のみが商品案内板３０の表面側から裏面側に切欠３５ｂを通して係止自在に形成された係止受け部３５Ａから構成されている。
【００５６】
詳しくは、図１５、図１６（イ）（ロ）に示すように、前記下部係止片３９は、商品案内板３０の下端両横端から下方に一体的に延出形成され、商品案内板３０の幅寸法内に形成され、下部係止片３９は、垂下片部３９ａから水平折り曲げ片部３９ｂからなる略Ｌ字状に形成され、これに対して、前記係止受け部３５Ａは、下部係止片３９の略Ｌ字状に対応する切欠形状に形成されている。
【００５７】
このような構成にすることによって、上段側の商品案内板３０の下部３０ａの下部係止片３９と、これに対応する下段側の商品案内板３０の上部３７の係止受け部３５Ａを係合状態にすることによって、両商品案内板３０を上下に隣合う状態に仮の連結をすることができ、この仮の連結を上下方向に並べる複数枚に亘って実施することによって、複数の商品案内板３０を一連に繋がれた状態にすることができる。この仮の連結状態では、商品案内板３０の幅寸法に幅揃えされた状態を形成する。
【００５８】
この状態で、各商品案内板３０の上端部両横端の各連結片３１の抜け止め部３１ａを、夫々に対応する側板の係止孔部２１ａに係合状態にすることによって、複数の商品案内板３０を側板２０，２０間に一括して取付けることも可能となる。
【００５９】
しかも、側板２０，２０間に取付けられた状態で、上下に繋がれた商品案内板３０どうしが外れることかない拘束状態となるとともに、側板２０，２０間に姿勢変化しない固定した状態で支持されることになる。
【００６０】
そのため、側板２０，２０間に取付けられた状態では、全ての商品案内板３０が固定された取付け状態を形成するため、上記第１実施形態のように、回り止め舌片５１を用いて最上段の商品案内板の回り止めするための部材を必要とせず、部品点数や製作手間などの点で、製作性の向上を図ることができる。
【００６１】
〔別実施形態〕
１）上段側の商品案内板３０の下端側と、下段側の商品案内板３０の上端側とを連結させる係合手段３３としては、上記実施形態の如く、上段側商品案内板３０に備えてある係止部３４と、下段側商品案内板３０に備えてある支持部３５とで成るものを採用する他、上段側商品案内板３０の方に支持部３５を備えさせ、下段側商品案内板３０の方に係止部３４を備えさせたものを採用して実施してもよい。
【００６２】
２）　上記第２実施形態において、上段側の商品案内板３０の下端部両横端に形成されたＬ字状の下部係止片３９，３９が、対称で互いが向き合う状態に形成され、これに対応する下段側の商品案内板３０に形成された係止受け部３５Ａ、３５Ａと係止自在な構成のものについて説明したが、本発明はこれに限らず、上段側の商品案内板３０の下端部両横端に形成されたＬ字状の下部係止片が、非対称に形成され、これに対応する下段側の商品案内板３０に形成された係止受け部と係止自在な構成のものであってもよい。
【図面の簡単な説明】
【図１】自動販売機全体の縦断側面図
【図２】商品通路の側面図
【図３】商品収納部の一部の正面図
【図４】商品通路の一部の側面図
【図５】商品案内板の連結及び係合構造を示す正面図
【図６】係合手段の断面図
【図７】商品案内板の当接部での断面図
【図８】商品案内板の一部を示す斜視図
【図９】最上段商品案内板の連結構造を示す正面図
【図１０】商品案内板の案内板カバー装着部での断面図
【図１１】案内板カバーの一部の斜視図
【図１２】側板と分割投入板との取り付け関係を示す簡略断面図
【図１３】側板と分割投入板との取り付け関係を示す簡略平面図
【図１４】商品収納部の一部の正面図
【図１５】商品案内板の連結及び係合構造を示す正面図
【図１６】商品案内板の一部を示す斜視図
（イ）は連結前の状態の上段と下段の商品案内板の一部を示す斜視図
（ロ）は上段と下段の商品案内板を連結した状態の一部を示す斜視図
【図１７】従来の商品通路の一部を示す側面図
【図１８】従来の商品案内板と側板の連結構造を示す説明図
【符号の説明】
６　　　商品通路
２０　　側板
２１　　側板の支持部
３０　　商品案内板
３０ａ　　上段側商品案内板の下部
３１　　連結片
３３　　係合手段
３４　　係止部
３５　　支持部
３５Ａ　係止受け部
３５ａ　　貫通孔
３７　　下段側商品案内板の上部
３９　　下部係止片
５０　　案内板カバー
【図１】
2004054889.tif 000003
【図２】
2004054889.tif 000004
【図３】
2004054889.tif 000005
【図４】
2004054889.tif 000006
【図５】
2004054889.tif 000007
【図６】
2004054889.tif 000008
【図７】
2004054889.tif 000009
【図８】
2004054889.tif 000010
【図９】
2004054889.tif 000011
【図１０】
2004054889.tif 000012
【図１１】
2004054889.tif 000013
【図１２】
2004054889.tif 000014
【図１３】
2004054889.tif 000015
【図１４】
2004054889.tif 000016
【図１５】
2004054889.tif 000017
【図１６】
2004054889.tif 000018
【図１７】
2004054889.tif 000019
【図１８】
2004054889.tif 000020